(57)【要約】【課題】逆止弁付き包材の充填口に袋止め用クリップを採用する必要がなく、充填のために開封したり、充填後に密封したりする作業を簡単に行うことができる逆止弁付き包材の充填口開閉機構を提供しようとする【解決手段】フィルム状あるいはシート状包材の片面に設けたスリット状開口と、該スリット状開口を挟んでその上面に一体的に接合した軟質板と、前記スリット状開口の上面の軟質板のスリット部分に着脱可能に貼付した粘着性封止テープとを備えることを特徴とする逆止弁付き包材の充填口開閉機構。【選択図】図１
2019199297.tif 000002
【特許請求の範囲】
【請求項１】
フィルム状あるいはシート状包材の片面に設けたスリット状開口と、該スリット状開口を挟んでその上面に一体的に接合した軟質板と、前記スリット状開口の上面の軟質板のスリット部分に着脱可能に貼付した粘着性封止テープとを備えることを特徴とする逆止弁付き包材の充填口開閉機構。
【請求項２】
フィルム状あるいはシート状包材の片面に設けたスリット状開口と、該スリット状開口を挟んでその上面に一体的に接合した軟質板と、前記フィルム状あるいはシート状包材の他面の前記スリット状開口に対応する位置に一体的に接合した硬質板と、前記スリット状開口の上面の軟質板のスリット部分に着脱可能に貼付した粘着性封止テープとを備えることを特徴とする逆止弁付き包材の充填口開閉機構。
【請求項３】
前記フィルム状あるいはシート状包材と軟質板との接合、フィルム状あるいはシート状包材と硬質板との接合が、それぞれ接着剤による接合、融着による接合を含むことを特徴とする請求項１または２に記載の逆止弁付き包材の充填口開閉機構。
【請求項４】
前記スリット状開口の上面の軟質板のスリット部分に着脱可能に貼付した粘着性封止テープが、繰り返し貼付けおよび引き剥がし可能とされていることを特徴とする請求項１ないし３のいずれかに記載の逆止弁付き包材の充填口開閉機構。
【発明の詳細な説明】
【技術分野】
【０００１】
本発明は変形可能な包材（例えば軟質容器）の内容物の充填口に開閉機構を備え、かつ包材の適所に逆止弁を取り付けて包材内の空気を迅速に排出することができる逆止弁付き包材に関し、詳しくはその充填口開閉機構の構造に関する。
【背景技術】
【０００２】
本発明者は先に特許第５６３３０６３号公報（特許文献１参照）において、プラスチックフィルム製の包材と、該包材の開口部へ溶着して該包材内に収納した筒状フィルム製の外筒と、該外筒に内装され、上端に真空ポンプのチューブを装着する脱気口を突設した逆止弁用のハウジングと、該ハウジング内において弁口を前記脱気口側に向けて配設された逆止弁と、該逆止弁の開口部に延長チューブで連結されたフィルタ部材とを備え、別途用意した真空ポンプのチューブを前記外筒内のハウジングの脱気口に装着し、真空ポンプを作動して前記包材内の空気を排出した場合においては、前記逆止弁で外気が包材内に逆流しないようにした逆止弁付き包材を提案している。
【０００３】
他方、特許第５４６８１７４号公報（特許文献２参照）においては、下向きに狭まるテーパ状のＶ字状内面を備えた外固定枠と、前記外固定枠のテーパ状のＶ字状内面に配置された弾性シートと、前記弾性シートの表面に沿って配置され、前記弾性シート側の面に長さ方向に沿って幅方向の中間位置に突条を形成した断面がくさび状の押え枠とを備え、前記外固定枠内に配置した弾性シートの内面に軟質シート製の袋の開口部を介在させ、さらに前記押え枠をくさび状に押し込むことにより、前記押え枠の突条が前記袋を介して弾性シートにかみ合い、前記袋の開口部を確実に密閉するようにした袋止め用クリップを提案している。
【０００４】
そして、特許第５６３３０６３号公報（特許文献１参照）の逆止弁付き包材の充填口開閉機構として、特許第５４６８１７４号公報（特許文献２参照）における袋止め用クリップを採用して逆止弁付き包材を市場に提供している。
【先行技術文献】
【特許文献】
【０００５】
【特許文献１】特許第５６３３０６３号公報
【特許文献２】特許第５４６８１７４号公報
【発明の概要】
【発明が解決しようとする課題】
【０００６】
しかしながら、特許第５６３３０６３号公報（特許文献１参照）の逆止弁付き包材の充填口開閉機構として、特許第５４６８１７４号公報（特許文献２参照）における袋止め用クリップを採用して逆止弁付き包材を市場に提供した場合、前記袋止め用クリップが複数の成形品を組み付けて逆止弁付き包材の充填口を密閉する必要があり、作業性が悪く、かつかさ張るために逆止弁付き包材を多数を積み重ねて運搬しようとする際に大きな容積が必要となるという問題があった。
【０００７】
そこでこの発明の目的は、逆止弁付き包材の充填口に袋止め用クリップを採用する必要がなく、充填のために開封したり、充填後に密封したりする作業を簡単に行うことができる逆止弁付き包材の充填口開閉機構を提供しようとするものである。
【課題を解決するための手段】
【０００８】
すなわち本発明の逆止弁付き包材の充填口開閉機構は、前記した課題を達成するためのものであって、フィルム状あるいはシート状包材の片面に設けたスリット状開口と、該スリット状開口を挟んでその上面に一体的に接合した軟質板と、前記スリット状開口の上面の軟質板のスリット部分に着脱可能に貼付した粘着性封止テープとを備えることを特徴とするものである。
なお、前記フィルム状あるいはシート状包材とは、プラスチックフィルム製包材のみならず、紙製包材、アルミ箔製包材、またそれら複合材料製包材を含むものである。
【０００９】
本発明の逆止弁付き包材の充填口開閉機構は、フィルム状あるいはシート状包材の片面に設けたスリット状開口と、該スリット状開口を挟んでその上面に一体的に接合した軟質板と、前記フィルム状あるいはシート状包材の他面の前記スリット状開口に対応する位置に一体的に接合した硬質板と、前記スリット状開口の上面の軟質板のスリット部分に着脱可能に貼付した粘着性封止テープとを備えることをも特徴とするものである。
【００１０】
本発明の逆止弁付き包材の充填口開閉機構において、前記フィルム状あるいはシート状包材と軟質板との接合、フィルム状あるいはシート状包材と硬質板との接合が、それぞれ接着剤による接合、融着による接合を含むことをも特徴とするものである。
【００１１】
本発明の逆止弁付き包材の充填口開閉機構において、前記スリット状開口の上面の軟質板のスリット部分に着脱可能に貼付した粘着性封止テープが、繰り返し貼付けおよび引き剥がし可能とされていることをも特徴とするものである。
【発明の効果】
【００１２】
請求項１ないし２の逆止弁付き包材の充填口開閉機構によれば、前記フィルム状あるいはシート状包材のスリット状開口の部分が硬質板で強固に支持されていて安定した充填作業を確保することができ、またスリット状開口の上面に接合した軟質板によってフィルム状あるいはシート状包材への内容物の充填を無理なく行うことができる。
また、前記スリット状開口の上面の軟質板のスリット部分に着脱可能に貼付した前記粘着性封止テープによって、簡単に開閉作業を行うことを可能としたものである。
さらに、前記逆止弁付き包材の充填口に袋止め用クリップを採用する必要がなくなり、逆止弁付き包材を多数を積み重ねて運搬しようとする際に、大きな容積が不要となって運送費等において非常に大きなメリットを生じるものである。
【００１３】
また請求項３の逆止弁付き包材の充填口開閉機構によれば、前記フィルム状あるいはシート状包材と軟質板との接合、フィルム状あるいはシート状包材と硬質板との接合が、それぞれ接着剤による接合、融着による接合を適宜選択ないし組み合わせて採用することができ、前記各素材の材質や厚さ、内容物との相性等を勘案して適宜決定することができる。
【００１４】
請求項４の逆止弁付き包材の充填口開閉機構によれば、前記スリット状開口の上面の軟質板のスリット部分に着脱可能に貼付した粘着性封止テープが、繰り返し貼付けおよび引き剥がし可能とされているので、開閉作業を繰り返し行うことを可能とするとともに、前記袋止め用クリップを採用した場合に比して大幅なコストダウンを図ることができる。
【図面の簡単な説明】
【００１５】
【図１】本発明の逆止弁付き包材の充填口開閉機構を備えた包材の正面図である。
【図２】逆止弁付き包材の充填口部分の組付け前の状態を示す拡大断面図である。
【図３】フィルム状あるいはシート状包材の表面に軟質板を、また裏面に硬質板を接合した状態を示す拡大断面図である。
【図４】フィルム状あるいはシート状包材のスリット状開口を開いて内容物を充填しようとする状態を示す拡大断面図である。
【図５】フィルム状あるいはシート状包材のスリット状開口を閉じた状態を示す拡大断面図である。
【図６】フィルム状あるいはシート状包材のスリット状開口を閉じて粘着性封止テープを貼付した状態の拡大断面図である。
【図７】逆止弁付き包材の逆止弁の保持部材を構成する各パーツの分解状態の斜視図である。
【図８】各パーツの分解状態の斜視断面図である。
【図９】逆止弁のハウジング、フィルタ部材のそれぞれを組み付ける経過を示す斜視断面図である。
【図１０】逆止弁のハウジング、フィルタ部材のそれぞれを組み付けた状態を示す斜視図である。
【図１１】逆止弁のハウジング、フィルタ部材のそれぞれを組み付けた状態を示す斜視断面図である。
【図１２】逆止弁のハウジング、フィルタ部材のそれぞれを連結した状態を示し、（ａ）はその斜視図、（ｂ）はその斜視断面図である。
【図１３】包材内に逆止弁の保持部材を挿入しようとする状態の概略正面図である。
【図１４】真空ポンプのチューブを前記ハウジングの脱気口に装着した状態の概略正面図である。
【発明を実施するための形態】
【００１６】
以下、本発明の逆止弁付き包材の充填口開閉機構の実施の形態を図面に基いて詳細に説明する。
図１は本発明の逆止弁付き包材の充填口開閉機構の１実施例を示し、該充填口開閉機構を備えた包材の全体図を示すものである。
すなわち、本発明の逆止弁付き包材の充填口開閉機構１１は、フィルム状あるいはシート状包材１２の表面に設けたスリット状開口１３と、該スリット状開口１３を挟んでその上面に一体的に接合した軟質板１４と、前記フィルム状あるいはシート状包材１２の裏面の前記スリット状開口１３に対応する位置に一体的に接合した硬質板１５と、前記軟質板１４のスリット状開口１３の上面に着脱可能に貼付した粘着性封止テープ１６とを備えるものである。
ちなみに、前記フィルム状あるいはシート状包材１２とは、プラスチックフィルム製包材のみならず、紙製包材、アルミ箔製包材、またそれら複合材料製包材を含むものである。
なお、図１において２０は逆止弁付き包材の逆止弁の保持部材を示すものであるが、この逆止弁付き包材の逆止弁の保持部材２０については図７ないし図１３において詳細に説明する。
【００１７】
次に、本発明の逆止弁付き包材の充填口開閉機構１１の詳細について図２ないし図６に基いて説明する。
図２は逆止弁付き包材の充填口開閉機構１１部分の組付け前の状態を、また図３は前記逆止弁付き包材の充填口開閉機構１１部分の組付け後の状態を示すものである。
図において、前記フィルム状あるいはシート状包材１２の表面側には包材１２の幅方向に延びるスリット状開口１３が形成されている。そして、該スリット状開口１３を挟んでその上面には軟質板１４が一体的に接合してある。この軟質板１４は前記スリット状開口１３を挟んで一対の軟質板１４を接合しても、前記スリット状開口１３部分に１枚の軟質板１４を接合し、その上で前記スリット状開口１３に沿ってスリットを形成してもよい。
図において１５は、前記フィルム状あるいはシート状包材１２の裏面の前記スリット状開口１３に対応する位置に一体的に接合した硬質板である。
なお、前記軟質板１４としては、前記粘着性封止テープ１６との接着性に優れた素材であればとくに限定されるものではないが、ポリウレア樹脂やウレタン樹脂等を好適に用いることができる。
また、硬質板１５としては硬度があって変形しにくいものであればよく、前記フィルム状あるいはシート状包材１２とのなじみのあるものであれば何ら限定されるものではない。
【００１８】
なお、前記逆止弁付き包材の充填口開閉機構１１において、前記フィルム状あるいはシート状包材１２と軟質板１４との接合、フィルム状あるいはシート状包材１２と硬質板１５との接合は、接着剤による接合であっても、また融着による接合であってもよい。もちろん全体を接着剤で接合した上、外縁を融着して強固にかつ一体的に接合することもできる。
このようなフィルム状あるいはシート状包材１２と軟質板１４および硬質板１５との接合手段は、前記各素材の材質や厚さ、内容物との相性等を勘案して適宜決定することができる。
【００１９】
次に、図４はフィルム状あるいはシート状包材１２のスリット状開口１３（軟質板１４ａ）を開いて粒状体等からなる内容物を充填しようとする状態を示すものであり、図５は内容物１７を充填し終わってフィルム状あるいはシート状包材１２のスリット状開口１３を閉じた状態を示すものである。
なお、スリット状開口１３の開く側とは反対側の軟質板１４ｂ位置の包材１２は内容物が入り込まないように密閉しておく。
【００２０】
図６に示すように、前記内容物１７の充填が完了した後は、逆止弁付き包材１２の充填口開閉機構１１において、前記スリット状開口１３の上面の軟質板１４のスリット部分に粘着性封止テープ１６が着脱可能に貼付しておけば内容物１７は確実に包材１２内に収納しておくことができる。
なおこの粘着性封止テープ１６は、易剥離性の粘着力を備えており、したがって繰り返し貼付けおよび引き剥がし可能となっている。
ちなみに、前記内容物１７を充填した後、フィルム状あるいはシート状包材１２内を真空吸引して脱気しておけば、前記内容物１７は空気に触れないで変質を防ぎながら、長期間保存しておくことができる。
【００２１】
次に、図７ないし図１３はフィルム状あるいはシート状包材１２の適所に配設される逆止弁の保持部材を説明するためのものであり、図７は該逆止弁の保持部材を構成する各パーツの分解状態の斜視図であり、図８は各パーツの分解状態の斜視断面図である。
後述するフィルム状あるいはシート状包材に取り付けられる逆止弁の保持部材２０は、上端に真空ポンプのチューブを装着する脱気口２２を突設した逆止弁用のハウジング２１と、該ハウジング２１内において弁口３２を前記脱気口２２側に向けて配設された逆止弁３１と、該ハウジング２１の筒状端部に延長チューブ４２で連結されたフィルタ部材４１とを備えている。４３はフィルタケース、４４はフィルタケース４３内に収納したフィルタ、４６はフィルタケース４３に突設したチューブ取付部４５に延長チューブ４２を連結するための補助チューブである。
【００２２】
上端に真空ポンプのチューブを装着するための脱気口２２を突設した前記逆止弁用のハウジング２１は、前記包材１２に適宜手段で内装される。すなわち、前記ハウジング２１を外筒２３内にはめ込んだ上、その上から蓋体２４を取付けて前記脱気口２２を蓋体２４の丸穴２５から突出させるのである。２６は前記脱気口２２に着脱自在に取り付けられるキャップ、２７は前記ハウジング２１下面と外筒２３の上端との間に介在させたワッシャである。
その上で、前記包材１２と外筒２３とを例えばプラスチックフィルムどうしの加熱による溶着や、接着剤を使用して接合する。
【００２３】
前記ハウジング２１内において弁口３２を前記脱気口２２側に向けて配設された逆止弁３１は、該逆止弁３１よりも大きな径の第１の保持筒３５内に保持されて前記ハウジング２１内の上部にはめ込まれる。
すなわち、前記逆止弁３１はその筒状端部に設けた外向きのフランジ３３を前記第１の保持筒３５の下端に係合することにより保持されている。なお、３４は前記逆止弁３１内に内装して前記逆止弁３１の変形を防止する筒状スペーサである。
他方、前記ハウジング２１内の下部には外向きの段差３６が形成してあり、該段差３６内に第２の保持筒３７をはめ込むとともに、該第２の保持筒３７の上部から外向きのフランジを備えたガイド筒３８を挿通し、連結筒３９を介して前記延長チューブ４２に連結されている。
【００２４】
前記ハウジング２１内において、弁口３２を前記脱気口２２側に向けて配設された逆止弁３１は、弾性素材によって弁口３２部分が外向きのアーチ状に形成されており、かつその頂部にマイナスもしくはプラス状のスリットが弁口３２として形成してある。
【００２５】
次に図９ないし図１３において前記逆止弁の保持部材２０を構成する各パーツの組付け工程を説明する。
図９は逆止弁３１のハウジング２１、フィルタ部材４１のそれぞれを組み付ける経過を示すものであり、前記逆止弁３１のハウジング２１と包材１２との間には前記外筒２３のような、両者を強固に接合する融着可能な連結部材を介装しておくことが望ましい。
まず、前記逆止弁３１を第１の保持筒３５に上向きにはめ込み、さらにスペーサ３４を前記逆止弁３１に取り付ける。一方、前記第２の保持筒３７の上部から外向きのフランジを備えたガイド筒３８を挿通し、その下端に連結筒３９を取り付けておく。
さらに、フィルタ部材４１のフィルタケース４３の上端には延長チューブ４２が連結されている。
【００２６】
次いで図１０および図１１に示すように、前記ハウジング２１内に逆止弁３１を装着した第１の保持筒３５を圧入し、該第１の保持筒３５とともに前記逆止弁３１を前記ハウジング２１内に取り付けて保持する。その上で前記ハウジング２１内の下部に設けた段差３６内に前記ガイド筒３８を挿通した前記第２の保持筒３７をはめ込む。
また、フィルタ部材４１のフィルタケース４３内にフィルタ４４を取り付けておく。
その状態で連結筒３９を介して前記逆止弁３１をフィルタ部材４１と連結し、前記外筒２３内に逆止弁のハウジング２１をはめ込む。
図１２（ａ），（ｂ）はそれぞれ完成状態の斜視図および斜視断面図、図１３は包材内に逆止弁の保持部材を挿入しようとする状態の概略正面図である。
【００２７】
なお、フィルム状あるいはシート状包材１２内の空気は逆止弁３１を介して真空ポンプを用いて脱気する。
すなわち、図４ないし図６に示すように包材１２のスリット状開口１３から内容物１７を投入し、前記スリット状開口１３の上面の軟質板１４のスリット部分に粘着性封止テープ１６を貼付する。
【００２８】
そして、図１４に示すように真空ポンプ５１のチューブを脱気口２２に装着する。
その後、真空ポンプ５１を作動すれば、前記包材１２内の空気は排出されるものの、前記逆止弁３１で外気が包材１２内に逆流することはない。
【産業上の利用可能性】
【００２９】
本発明の逆止弁付き包材の充填口開閉機構は、包材内に各種の内容物を充填するために使用することができ、さまざまな内容物を包材に充填するための充填口開閉機構として好適に適用することができる。
【符号の説明】
【００３０】
１１  逆止弁付き包材の充填口開閉機構
１２  フィルム状あるいはシート状包材
１３  スリット状開口
１４  軟質板
１４ａ，１４ｂ  軟質板
１５  硬質板
１６  粘着性封止テープ
１７  内容物
２０  逆止弁の保持部材
２１  ハウジング
２２  脱気口
２３  外筒
２４  蓋体
２５  丸穴
２６  キャップ
２７  ワッシャ
３１  逆止弁
３２  弁口
３３  フランジ
３４  筒状スペーサ
３５  第１の保持筒
３６  段差
３７  第２の保持筒
３８  ガイド筒
３９  連結筒
４１  フィルタ部材
４２  延長チューブ
４３  フィルタケース
４４  フィルタ
４５  チューブ取付部
４６  補助チューブ
５１  真空ポンプ
【図１】
2019199297.tif 000003
【図２】
2019199297.tif 000004
【図３】
2019199297.tif 000005
【図４】
2019199297.tif 000006
【図５】
2019199297.tif 000007
【図６】
2019199297.tif 000008
【図７】
2019199297.tif 000009
【図８】
2019199297.tif 000010
【図９】
2019199297.tif 000011
【図１０】
2019199297.tif 000012
【図１１】
2019199297.tif 000013
【図１２】
2019199297.tif 000014
【図１３】
2019199297.tif 000015
【図１４】
2019199297.tif 000016
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
フィルム状あるいはシート状包材の片面に設けたスリット状開口と、該スリット状開口を挟んでその上面に一体的に接合した軟質板と、前記フィルム状あるいはシート状包材の他面の前記スリット状開口に対応する位置に一体的に接合した硬質板と、前記スリット状開口の上面の軟質板のスリット部分に着脱可能に貼付した粘着性封止テープとを備えることを特徴とする逆止弁付き包材の充填口開閉機構。
【請求項２】
前記フィルム状あるいはシート状包材と軟質板との接合、フィルム状あるいはシート状包材と硬質板との接合が、それぞれ接着剤による接合、融着による接合を含むことを特徴とする請求項１に記載の逆止弁付き包材の充填口開閉機構。
【請求項３】
前記スリット状開口の上面の軟質板のスリット部分に着脱可能に貼付した粘着性封止テープが、繰り返し貼付けおよび引き剥がし可能とされていることを特徴とする請求項１または２に記載の逆止弁付き包材の充填口開閉機構。
【手続補正２】
【補正対象書類名】明細書
【補正対象項目名】全文
【補正方法】変更
【補正の内容】
【発明の詳細な説明】
【技術分野】
【０００１】
本発明は変形可能な包材（例えば軟質容器）の内容物の充填口に開閉機構を備え、かつ包材の適所に逆止弁を取り付けて包材内の空気を迅速に排出することができる逆止弁付き包材に関し、詳しくはその充填口開閉機構の構造に関する。
【背景技術】
【０００２】
本発明者は先に特許第５６３３０６３号公報（特許文献１参照）において、プラスチックフィルム製の包材と、該包材の開口部へ溶着して該包材内に収納した筒状フィルム製の外筒と、該外筒に内装され、上端に真空ポンプのチューブを装着する脱気口を突設した逆止弁用のハウジングと、該ハウジング内において弁口を前記脱気口側に向けて配設された逆止弁と、該逆止弁の開口部に延長チューブで連結されたフィルタ部材とを備え、別途用意した真空ポンプのチューブを前記外筒内のハウジングの脱気口に装着し、真空ポンプを作動して前記包材内の空気を排出した場合においては、前記逆止弁で外気が包材内に逆流しないようにした逆止弁付き包材を提案している。
【０００３】
他方、特許第５４６８１７４号公報（特許文献２参照）においては、下向きに狭まるテーパ状のＶ字状内面を備えた外固定枠と、前記外固定枠のテーパ状のＶ字状内面に配置された弾性シートと、前記弾性シートの表面に沿って配置され、前記弾性シート側の面に長さ方向に沿って幅方向の中間位置に突条を形成した断面がくさび状の押え枠とを備え、前記外固定枠内に配置した弾性シートの内面に軟質シート製の袋の開口部を介在させ、さらに前記押え枠をくさび状に押し込むことにより、前記押え枠の突条が前記袋を介して弾性シートにかみ合い、前記袋の開口部を確実に密閉するようにした袋止め用クリップを提案している。
【０００４】
そして、特許第５６３３０６３号公報（特許文献１参照）の逆止弁付き包材の充填口開閉機構として、特許第５４６８１７４号公報（特許文献２参照）における袋止め用クリップを採用して逆止弁付き包材を市場に提供している。
【先行技術文献】
【特許文献】
【０００５】
【特許文献１】特許第５６３３０６３号公報
【特許文献２】特許第５４６８１７４号公報
【発明の概要】
【発明が解決しようとする課題】
【０００６】
しかしながら、特許第５６３３０６３号公報（特許文献１参照）の逆止弁付き包材の充填口開閉機構として、特許第５４６８１７４号公報（特許文献２参照）における袋止め用クリップを採用して逆止弁付き包材を市場に提供した場合、前記袋止め用クリップが複数の成形品を組み付けて逆止弁付き包材の充填口を密閉する必要があり、作業性が悪く、かつかさ張るために逆止弁付き包材を多数を積み重ねて運搬しようとする際に大きな容積が必要となるという問題があった。
【０００７】
そこでこの発明の目的は、逆止弁付き包材の充填口に袋止め用クリップを採用する必要がなく、充填のために開封したり、充填後に密封したりする作業を簡単に行うことができる逆止弁付き包材の充填口開閉機構を提供しようとするものである。
【課題を解決するための手段】
【０００８】
すなわち本発明の逆止弁付き包材の充填口開閉機構は、フィルム状あるいはシート状包材の片面に設けたスリット状開口と、該スリット状開口を挟んでその上面に一体的に接合した軟質板と、前記フィルム状あるいはシート状包材の他面の前記スリット状開口に対応する位置に一体的に接合した硬質板と、前記スリット状開口の上面の軟質板のスリット部分に着脱可能に貼付した粘着性封止テープとを備えることをも特徴とするものである。
なお、前記フィルム状あるいはシート状包材とは、プラスチックフィルム製包材のみならず、紙製包材、アルミ箔製包材、またそれら複合材料製包材を含むものである。
【０００９】
本発明の逆止弁付き包材の充填口開閉機構において、前記フィルム状あるいはシート状包材と軟質板との接合、フィルム状あるいはシート状包材と硬質板との接合が、それぞれ接着剤による接合、融着による接合を含むことをも特徴とするものである。
【００１０】
本発明の逆止弁付き包材の充填口開閉機構において、前記スリット状開口の上面の軟質板のスリット部分に着脱可能に貼付した粘着性封止テープが、繰り返し貼付けおよび引き剥がし可能とされていることをも特徴とするものである。
【発明の効果】
【００１１】
請求項１の逆止弁付き包材の充填口開閉機構によれば、前記フィルム状あるいはシート状包材のスリット状開口の部分が硬質板で強固に支持されていて安定した充填作業を確保することができ、またスリット状開口の上面に接合した軟質板によってフィルム状あるいはシート状包材への内容物の充填を無理なく行うことができる。
また、前記スリット状開口の上面の軟質板のスリット部分に着脱可能に貼付した前記粘着性封止テープによって、簡単に開閉作業を行うことを可能としたものである。
さらに、前記逆止弁付き包材の充填口に袋止め用クリップを採用する必要がなくなり、逆止弁付き包材を多数を積み重ねて運搬しようとする際に、大きな容積が不要となって運送費等において非常に大きなメリットを生じるものである。
【００１２】
また請求項２の逆止弁付き包材の充填口開閉機構によれば、前記フィルム状あるいはシート状包材と軟質板との接合、フィルム状あるいはシート状包材と硬質板との接合が、それぞれ接着剤による接合、融着による接合を適宜選択ないし組み合わせて採用することができ、前記各素材の材質や厚さ、内容物との相性等を勘案して適宜決定することができる。
【００１３】
請求項３の逆止弁付き包材の充填口開閉機構によれば、前記スリット状開口の上面の軟質板のスリット部分に着脱可能に貼付した粘着性封止テープが、繰り返し貼付けおよび引き剥がし可能とされているので、開閉作業を繰り返し行うことを可能とするとともに、前記袋止め用クリップを採用した場合に比して大幅なコストダウンを図ることができる。
【図面の簡単な説明】
【００１４】
【図１】本発明の逆止弁付き包材の充填口開閉機構を備えた包材の正面図である。
【図２】逆止弁付き包材の充填口部分の組付け前の状態を示す拡大断面図である。
【図３】フィルム状あるいはシート状包材の表面に軟質板を、また裏面に硬質板を接合した状態を示す拡大断面図である。
【図４】フィルム状あるいはシート状包材のスリット状開口を開いて内容物を充填しようとする状態を示す拡大断面図である。
【図５】フィルム状あるいはシート状包材のスリット状開口を閉じた状態を示す拡大断面図である。
【図６】フィルム状あるいはシート状包材のスリット状開口を閉じて粘着性封止テープを貼付した状態の拡大断面図である。
【図７】逆止弁付き包材の逆止弁の保持部材を構成する各パーツの分解状態の斜視図である。
【図８】各パーツの分解状態の斜視断面図である。
【図９】逆止弁のハウジング、フィルタ部材のそれぞれを組み付ける経過を示す斜視断面図である。
【図１０】逆止弁のハウジング、フィルタ部材のそれぞれを組み付けた状態を示す斜視図である。
【図１１】逆止弁のハウジング、フィルタ部材のそれぞれを組み付けた状態を示す斜視断面図である。
【図１２】逆止弁のハウジング、フィルタ部材のそれぞれを連結した状態を示し、（ａ）はその斜視図、（ｂ）はその斜視断面図である。
【図１３】包材内に逆止弁の保持部材を挿入しようとする状態の概略正面図である。
【図１４】真空ポンプのチューブを前記ハウジングの脱気口に装着した状態の概略正面図である。
【発明を実施するための形態】
【００１５】
以下、本発明の逆止弁付き包材の充填口開閉機構の実施の形態を図面に基いて詳細に説明する。
図１は本発明の逆止弁付き包材の充填口開閉機構の１実施例を示し、該充填口開閉機構を備えた包材の全体図を示すものである。
すなわち、本発明の逆止弁付き包材の充填口開閉機構１１は、フィルム状あるいはシート状包材１２の表面に設けたスリット状開口１３と、該スリット状開口１３を挟んでその上面に一体的に接合した軟質板１４と、前記フィルム状あるいはシート状包材１２の裏面の前記スリット状開口１３に対応する位置に一体的に接合した硬質板１５と、前記軟質板１４のスリット状開口１３の上面に着脱可能に貼付した粘着性封止テープ１６とを備えるものである。
ちなみに、前記フィルム状あるいはシート状包材１２とは、プラスチックフィルム製包材のみならず、紙製包材、アルミ箔製包材、またそれら複合材料製包材を含むものである。
なお、図１において２０は逆止弁付き包材の逆止弁の保持部材を示すものであるが、この逆止弁付き包材の逆止弁の保持部材２０については図７ないし図１３において詳細に説明する。
【００１６】
次に、本発明の逆止弁付き包材の充填口開閉機構１１の詳細について図２ないし図６に基いて説明する。
図２は逆止弁付き包材の充填口開閉機構１１部分の組付け前の状態を、また図３は前記逆止弁付き包材の充填口開閉機構１１部分の組付け後の状態を示すものである。
図において、前記フィルム状あるいはシート状包材１２の表面側には包材１２の幅方向に延びるスリット状開口１３が形成されている。そして、該スリット状開口１３を挟んでその上面には軟質板１４が一体的に接合してある。この軟質板１４は前記スリット状開口１３を挟んで一対の軟質板１４を接合しても、前記スリット状開口１３部分に１枚の軟質板１４を接合し、その上で前記スリット状開口１３に沿ってスリットを形成してもよい。
図において１５は、前記フィルム状あるいはシート状包材１２の裏面の前記スリット状開口１３に対応する位置に一体的に接合した硬質板である。
なお、前記軟質板１４としては、前記粘着性封止テープ１６との接着性に優れた素材であればとくに限定されるものではないが、ポリウレア樹脂やウレタン樹脂等を好適に用いることができる。
また、硬質板１５としては硬度があって変形しにくいものであればよく、前記フィルム状あるいはシート状包材１２とのなじみのあるものであれば何ら限定されるものではない。
【００１７】
なお、前記逆止弁付き包材の充填口開閉機構１１において、前記フィルム状あるいはシート状包材１２と軟質板１４との接合、フィルム状あるいはシート状包材１２と硬質板１５との接合は、接着剤による接合であっても、また融着による接合であってもよい。もちろん全体を接着剤で接合した上、外縁を融着して強固にかつ一体的に接合することもできる。
このようなフィルム状あるいはシート状包材１２と軟質板１４および硬質板１５との接合手段は、前記各素材の材質や厚さ、内容物との相性等を勘案して適宜決定することができる。
【００１８】
次に、図４はフィルム状あるいはシート状包材１２のスリット状開口１３（軟質板１４ａ）を開いて粒状体等からなる内容物を充填しようとする状態を示すものであり、図５は内容物１７を充填し終わってフィルム状あるいはシート状包材１２のスリット状開口１３を閉じた状態を示すものである。
なお、スリット状開口１３の開く側とは反対側の軟質板１４ｂ位置の包材１２は内容物が入り込まないように密閉しておく。
【００１９】
図６に示すように、前記内容物１７の充填が完了した後は、逆止弁付き包材１２の充填口開閉機構１１において、前記スリット状開口１３の上面の軟質板１４のスリット部分に粘着性封止テープ１６が着脱可能に貼付しておけば内容物１７は確実に包材１２内に収納しておくことができる。
なおこの粘着性封止テープ１６は、易剥離性の粘着力を備えており、したがって繰り返し貼付けおよび引き剥がし可能となっている。
ちなみに、前記内容物１７を充填した後、フィルム状あるいはシート状包材１２内を真空吸引して脱気しておけば、前記内容物１７は空気に触れないで変質を防ぎながら、長期間保存しておくことができる。
【００２０】
次に、図７ないし図１３はフィルム状あるいはシート状包材１２の適所に配設される逆止弁の保持部材を説明するためのものであり、図７は該逆止弁の保持部材を構成する各パーツの分解状態の斜視図であり、図８は各パーツの分解状態の斜視断面図である。
後述するフィルム状あるいはシート状包材に取り付けられる逆止弁の保持部材２０は、上端に真空ポンプのチューブを装着する脱気口２２を突設した逆止弁用のハウジング２１と、該ハウジング２１内において弁口３２を前記脱気口２２側に向けて配設された逆止弁３１と、該ハウジング２１の筒状端部に延長チューブ４２で連結されたフィルタ部材４１とを備えている。４３はフィルタケース、４４はフィルタケース４３内に収納したフィルタ、４６はフィルタケース４３に突設したチューブ取付部４５に延長チューブ４２を連結するための補助チューブである。
【００２１】
上端に真空ポンプのチューブを装着するための脱気口２２を突設した前記逆止弁用のハウジング２１は、前記包材１２に適宜手段で内装される。すなわち、前記ハウジング２１を外筒２３内にはめ込んだ上、その上から蓋体２４を取付けて前記脱気口２２を蓋体２４の丸穴２５から突出させるのである。２６は前記脱気口２２に着脱自在に取り付けられるキャップ、２７は前記ハウジング２１下面と外筒２３の上端との間に介在させたワッシャである。
その上で、前記包材１２と外筒２３とを例えばプラスチックフィルムどうしの加熱による溶着や、接着剤を使用して接合する。
【００２２】
前記ハウジング２１内において弁口３２を前記脱気口２２側に向けて配設された逆止弁３１は、該逆止弁３１よりも大きな径の第１の保持筒３５内に保持されて前記ハウジング２１内の上部にはめ込まれる。
すなわち、前記逆止弁３１はその筒状端部に設けた外向きのフランジ３３を前記第１の保持筒３５の下端に係合することにより保持されている。なお、３４は前記逆止弁３１内に内装して前記逆止弁３１の変形を防止する筒状スペーサである。
他方、前記ハウジング２１内の下部には外向きの段差３６が形成してあり、該段差３６内に第２の保持筒３７をはめ込むとともに、該第２の保持筒３７の上部から外向きのフランジを備えたガイド筒３８を挿通し、連結筒３９を介して前記延長チューブ４２に連結されている。
【００２３】
前記ハウジング２１内において、弁口３２を前記脱気口２２側に向けて配設された逆止弁３１は、弾性素材によって弁口３２部分が外向きのアーチ状に形成されており、かつその頂部にマイナスもしくはプラス状のスリットが弁口３２として形成してある。
【００２４】
次に図９ないし図１３において前記逆止弁の保持部材２０を構成する各パーツの組付け工程を説明する。
図９は逆止弁３１のハウジング２１、フィルタ部材４１のそれぞれを組み付ける経過を示すものであり、前記逆止弁３１のハウジング２１と包材１２との間には前記外筒２３のような、両者を強固に接合する融着可能な連結部材を介装しておくことが望ましい。
まず、前記逆止弁３１を第１の保持筒３５に上向きにはめ込み、さらにスペーサ３４を前記逆止弁３１に取り付ける。一方、前記第２の保持筒３７の上部から外向きのフランジを備えたガイド筒３８を挿通し、その下端に連結筒３９を取り付けておく。
さらに、フィルタ部材４１のフィルタケース４３の上端には延長チューブ４２が連結されている。
【００２５】
次いで図１０および図１１に示すように、前記ハウジング２１内に逆止弁３１を装着した第１の保持筒３５を圧入し、該第１の保持筒３５とともに前記逆止弁３１を前記ハウジング２１内に取り付けて保持する。その上で前記ハウジング２１内の下部に設けた段差３６内に前記ガイド筒３８を挿通した前記第２の保持筒３７をはめ込む。
また、フィルタ部材４１のフィルタケース４３内にフィルタ４４を取り付けておく。
その状態で連結筒３９を介して前記逆止弁３１をフィルタ部材４１と連結し、前記外筒２３内に逆止弁のハウジング２１をはめ込む。
図１２（ａ），（ｂ）はそれぞれ完成状態の斜視図および斜視断面図、図１３は包材内に逆止弁の保持部材を挿入しようとする状態の概略正面図である。
【００２６】
なお、フィルム状あるいはシート状包材１２内の空気は逆止弁３１を介して真空ポンプを用いて脱気する。
すなわち、図４ないし図６に示すように包材１２のスリット状開口１３から内容物１７を投入し、前記スリット状開口１３の上面の軟質板１４のスリット部分に粘着性封止テープ１６を貼付する。
【００２７】
そして、図１４に示すように真空ポンプ５１のチューブを脱気口２２に装着する。
その後、真空ポンプ５１を作動すれば、前記包材１２内の空気は排出されるものの、前記逆止弁３１で外気が包材１２内に逆流することはない。
【産業上の利用可能性】
【００２８】
本発明の逆止弁付き包材の充填口開閉機構は、包材内に各種の内容物を充填するために使用することができ、さまざまな内容物を包材に充填するための充填口開閉機構として好適に適用することができる。
【符号の説明】
【００２９】
１１  逆止弁付き包材の充填口開閉機構
１２  フィルム状あるいはシート状包材
１３  スリット状開口
１４  軟質板
１４ａ，１４ｂ  軟質板
１５  硬質板
１６  粘着性封止テープ
１７  内容物
２０  逆止弁の保持部材
２１  ハウジング
２２  脱気口
２３  外筒
２４  蓋体
２５  丸穴
２６  キャップ
２７  ワッシャ
３１  逆止弁
３２  弁口
３３  フランジ
３４  筒状スペーサ
３５  第１の保持筒
３６  段差
３７  第２の保持筒
３８  ガイド筒
３９  連結筒
４１  フィルタ部材
４２  延長チューブ
４３  フィルタケース
４４  フィルタ
４５  チューブ取付部
４６  補助チューブ
５１  真空ポンプ